(57)【要約】【課題】現場におけるわずらわしい工事をすることなく、しかも既存の浴室内を大きく変更することもなく風呂給湯と浴室暖房とを行い得る浴室用暖房ユニットの取付構造を提供する。【解決手段】追焚き用熱源機４とエプロン２ａを有した浴槽２の循環口３とを連結する温水往き管１１および温水還り管１２に熱交換器７を分岐接続し、この熱交換器７に追焚き用熱源機４からの温水を循環させて浴室１を暖房する浴室用暖房ユニットの取付構造であって、エプロン２ａの内側における循環口３近傍に暖房用熱交換器７を配置し、この暖房用熱交換器７の流入側端部７ａ、循環口３の流入側端部３ａおよび温水往き管１１の管端部１１ｂを第１切換弁１３に接続する一方、暖房用熱交換器７の流出側端部７ｂ、循環口３の流出側端部３ｂおよび温水還り管１２の管端部１２ｂを第２切換弁１４にそれぞれ接続し、第１、第２切換弁１３，１４を切り換えて追焚き用熱源機４からの温水を浴槽２側および暖房用熱交換器７側に循環させる。【選択図】　　　図１
2004085140.tif 000002
【特許請求の範囲】
【請求項１】
追焚き用熱源機とエプロンを有した浴槽の循環口とを連結する温水往き管および温水還り管に暖房用熱交換器を分岐接続し、この暖房用熱交換器に追焚き用熱源機からの温水を循環させて浴室を暖房する浴室用暖房ユニットの取付構造であって、
エプロンの内側における循環口近傍に暖房用熱交換器を配置し、この暖房用熱交換器の流入側端部、循環口の流入側端部、および、温水往き管の管端部を第１切換弁に接続する一方、暖房用熱交換器の流出側端部、循環口の流出側端部、および、温水還り管の管端部を第２切換弁にそれぞれ接続し、第１、第２切換弁を切り換えて追焚き用熱源機からの温水を浴槽側および暖房用熱交換器側に循環させることを特徴とする浴室用暖房ユニットの取付構造。
【請求項２】
暖房用熱交換器が、浴室内に向けて送風する送風機を備えた熱交換ユニットに内蔵されてなることを特徴とする請求項１に記載の浴室用暖房ユニットの取付構造。
【発明の詳細な説明】
【０００１】
【発明の属する技術分野】
本発明は、浴槽への追焚き機能を利用して浴室を暖房する浴室用暖房ユニットの取付構造に関するものである。
【０００２】
【従来の技術】
浴室の暖房システムとして、浴槽への追焚きと浴室内の暖房を行う風呂加熱および浴室暖房装置が提案され、湯張りおよび追い焚き機能を有する風呂給湯機と浴槽間を追い焚き用の温水往き管と戻り管で結び、温水式浴室暖房機の暖房往き管と暖房戻り管を前記往き管と戻り管とで結ぶようになっている。
そして、風呂用と浴室暖房用の配管を浴室内または近傍まで共用する構成となっている。
このため、既設住宅において、風呂配管に浴室暖房を後付けできるというものである。
【０００３】
また、同じく設備の後付けを可能とする他の例として、暖房乾燥用熱媒加熱器を組み込んだ給湯装置である熱源機を浴室の外壁に設置している。そして、熱交換器と送風ファンを備えた放熱器を浴室内に取り付けるとともに、他の放熱器を浴槽のエプロンに設けている。
これにより、暖房乾燥用熱媒加熱器で加熱された熱媒を放熱器内に循環させて、浴室の暖房および乾燥を行うようになっている。
【０００４】
【発明が解決しようとする課題】
しかしながら、上記従来例のうち前者は、温水式浴室暖房機を浴室内の天井に設けるので、取付工事および配管工事が必要となり、設置に手数がかかるうえに工事費用も増すという難点があった。
さらに、従来のものでは風呂給湯機に接続された水熱交換器からの温水往き管が切替弁を介して浴槽の循環口に連結される構成になっているので、給湯側である熱交換器と循環口との間が離隔しており、両者間に無駄なスペースが生じている。
【０００５】
また、後者の浴室暖房乾燥装置は、浴室の外壁に熱源機を設け、浴室の内壁に放熱器を取り付けるとともに、浴槽のエプロンにも放熱器を配置するようにしているが、この浴槽側の放熱器は熱源機から大きく離隔した位置に設けている。
この結果、浴槽側の放熱器と熱源機との間に無駄なスペースが生じるという問題があった。
本発明は、上記のような問題を解決するためになされたもので、浴室の空間の有効利用が図られ、無駄なスペースが生じないようにして浴室用暖房ユニットの取付構造を提供することを目的としている。
【０００６】
【課題を解決するための手段】
上記目的を達成するため、本発明のうち請求項１に記載の発明は、追焚き用熱源機とエプロンを有した浴槽の循環口とを連結する温水往き管および温水還り管に暖房用熱交換器を分岐接続し、この暖房用熱交換器に追焚き用熱源機からの温水を循環させて浴室を暖房する浴室用暖房ユニットの取付構造であって、
エプロンの内側における循環口近傍に暖房用熱交換器を配置し、この暖房用熱交換器の流入側端部、循環口の流入側端部、および、温水往き管の管端部を第１切換弁に接続する一方、暖房用熱交換器の流出側端部、循環口の流出側端部、および、温水還り管の管端部を第２切換弁にそれぞれ接続し、第１、第２切換弁を切り換えて追焚き用熱源機からの温水を浴槽側および暖房用熱交換器側に循環させることを特徴としている。
また、請求項２に記載の発明は、暖房用熱交換器が、浴室内に向けて送風する送風機を備えた熱交換ユニットに内蔵されてなることを特徴としている。
【０００７】
【発明の実施の形態】
以下、本発明の実施の形態について、図示例を参照しながら説明する。
図１は、本発明の実施例である浴室用暖房ユニットの取付構造を示す概要説明図、図２は、同浴室用暖房ユニットの取付構造を示す平面図、図３は、同浴室用暖房ユニットの取付構造を示す側面図である。
この浴室用暖房ユニットは、浴室１の外部に追焚き用熱源機４を設置し、浴槽２のエプロン２ａに熱交換ユニット６を配置して風呂給湯と浴室暖房を行う構成になっている。
追焚き用熱源機４は、ガス燃焼方式の全自動風呂給湯装置であって、温水用加熱器、ガス燃焼器、循環ポンプおよび制御部５等を備えており、本体ケースが浴室１の外壁１ａに固定されている。
【０００８】
給湯用加熱器は、図示省略しているが給水口に給水管が接続され、水道水が導入される。また、給湯用加熱器の流出口側に温水往き管１１の一端部１１ａが、流入口側に温水還り管１２の一端部１２ａがそれぞれ接続されている。
温水往き管１１と温水還り管１２とは、浴室１内の浴槽２側に延設され、三方弁１３，１４を介して浴槽２および熱交換ユニット６に接続されている。
制御部５は、マイクロコンピュータであって、熱源機４全体の動作を制御する構成になっている。この制御部５は、浴室１の内壁１ｂなどに設けたリモコン１０や第１、第２三方弁１３，１４に信号線を接続しており、リモコン１０からの指令信号に従って風呂注湯運転、風呂追い焚き運転または浴室暖房・乾燥運転等の制御を行う。
【０００９】
浴槽２は、図２、図３に示すように、略矩形状の外周部全体にエプロン２ａを設けたもので、側壁２ｂに循環口３が形成されている。なお、この循環口３には、図４に示すような循環アダプター３Ａが装着されている。
この循環アダプター３Ａは、流入側端部３ａおよび流出側端部３ｂを浴槽２の外方に突出させる一方、給湯口３ｃと吸込口３ｄとを浴槽２内に向けている。
このように形成された浴槽２は、浴室１の内壁１ｂにエプロン２ａを接して床面１ｃに載置固定されている。
熱交換ユニット６は、図２〜図５に示す如くユニット本体６ａに熱交換器７、送風機８、第１三方弁１３および第２三方弁１４を収納している。
ユニット本体６ａは、扁平な箱体で、一側部に一対の貫通穴が、他側部に開口部が、下部に吸気穴が、背面に挿通穴がそれぞれ形成されている。
前記各貫通穴には、温水往き管１１と温水還り管１２とが挿通される。また、開口部には、先端を浴室１の内方に向けた通気管９の一端が連結されている。そして、吸気穴側には、送風機８のファンが配されており、吸気穴から通気管９までがユニット本体の通風路となっている。
【００１０】
熱交換器７は、図５に示すように、湾曲管にフィンを接合したもので、各管端が第１三方弁１３および第２三方弁１４にそれぞれ接続される。
すなわち、第１三方弁１３に熱交換器７の流入側配管７ａと、温水往き管１１の他端部１１ｂと、循環アダプター３Ａの流入側端部３ａとを接続する。
また、第２三方弁１４に熱交換器７の流出側配管７ｂと、温水還り管１２の他端部１２ｂと、循環アダプター３Ａの流出側端部３ｂとを接続する。
これにより、各三方弁１３，１４が浴槽給湯側に切り換えられると、温水往き管１１からの温水が第１三方弁１３を介して循環アダプター３Ａの給湯口３ｃより浴槽２内に送水される。
そして、浴槽２の温水が循環アダプター３Ａの吸込口３ｄから吸込まれ、第２三方弁１４を介して温水還り管１２側に送水される。
【００１１】
また、各三方弁１３，１４が熱交換器給湯側に切り換えられると、温水往き管１１からの温水が流入側配管７ａ、熱交換器７、流出側配管７ｂへと循環して温水還り管１２側に戻される。
なお、流出側配管７ｂと第２三方弁１４との間には、安全弁７ｃが設けられており、管路の温水が高圧になったとき、排水管側へ逃がすようにしている。
送風機８は、ユニット本体６ａの下部側に配置されており、制御部５の指令でモーターが回転駆動する。これに伴いファンが回転すると、吸気穴から吸い込まれた空気が熱交換器７で温風に変わり、通気管９より浴室１内に送気される。
このように構成された熱交換ユニット６は、ユニット本体６ａの裏面を浴槽２の側壁２ｂに固着することでエプロン２ａの内側に保持される。
これにより、熱交換ユニット６が、浴槽２の外周部と浴室１の内壁１ｂとの間で場所を取ることなく収納され、両者間に無駄なスペースが生じる不具合がなくなる。
【００１２】
次に、上記浴室用暖房ユニットの動作について説明する。
ユーザーが、リモコン１０で任意の運転操作を行うと、制御部５が操作内容に応じた運転モードを実行する。
まず、風呂注湯運転指令により風呂注湯モードが設定されると、制御部５が図５に示す回路に切り換わり、給水管からの給水を加熱器で加熱して温水往き管１１、三方弁１３、浴槽２の循環口３へと送水し浴槽２の湯張りを行う。
つぎに、風呂追い焚き運転指令により風呂追い焚きモードが設定されると、循環ポンプを駆動して浴槽２内の温水を温水還り管１２側に吸い込み、前記加熱器で加熱した後、温水往き管１１を介して浴槽２に戻す。
続いて、浴室暖房運転により浴室暖房モードが設定されると、制御部５が図６に示す回路に切り換わり、循環ポンプを駆動して温水を温水往き管１１、三方弁１３、熱交換器７、三方弁１４、温水還り管１２へと循環させる。
このとき、制御部５が送風機８を駆動させ、温風を通気管９から浴室１内に送風する。これにより、浴室１内の暖房が行われる。
【００１３】
なお、風呂注湯モードや風呂追い焚きモードが競合すると、それに準じた制御がなされる。
まず、風呂注湯中または風呂追い焚き中に浴室暖房モードが選択されたときは、湯張り、差し湯または追い焚きが終了するまで、浴室暖房モードは待機モードとなり、これらが終了した時点で自動的に浴室暖房運転に入る。
つぎに、浴室暖房運転中に湯張り、差し湯または追い焚きが選択された場合は、浴室暖房モードを一時中断して湯張り、差し湯または追い焚き運転に入り、これらが終了した時点で自動的に浴室暖房運転を再開する。
このように、上記浴室用暖房ユニットは、浴槽への給湯に際して熱交換器７に温水を循環させることにより、浴室１内を簡便に暖房できる。
なお、ファンのみを回転させ、窓を開けて浴室内の空気を循環させることにより、壁面の乾燥を促進させカビや汚れの発生を防ぐこともできる。また、夏場はファンの回転により室内に涼風をもたらすこともできる。
【００１４】
【発明の効果】
以上説明したように、本発明のうち請求項１に記載の発明は、わずらわしい工事をすることなく設置することができ、浴室内を暖房する暖房用熱交換器７を浴槽のエプロンの内側における循環口近傍に配置しており、浴槽から暖房用熱交換器が突出せず、浴室の内壁と浴槽の外周部とに間隙が生じないので、室内の空間を大きく変更しなくてよく、どのような浴室にもこの熱交換器を設置することができる効果がある。
また、請求項２に記載の発明は、前記熱交換器が浴室内に向けて送風する送風機を備えた熱交換ユニットに内蔵されているので、熱交換器に温水を循環させることにより、温風が浴室内に送風されて暖房や乾燥を行える利点がある。
【図面の簡単な説明】
【図１】本発明の実施の形態に係る浴室用暖房ユニットの取付構造を示す概要説明図である。
【図２】同浴室用暖房ユニットの取付構造を示す平面図である。
【図３】同浴室用暖房ユニットの取付構造を示す側面図である。
【図４】同浴室用暖房ユニットの熱交換器の取付構造を示す斜視図である。
【図５】同熱交換器の浴槽の温水の循環回路を示す説明図である。
【図６】同熱交換器の浴室暖房回路を示す説明図である。
【符号の説明】
１　　浴室
２　　浴槽
２ａ　エプロン
３　　循環口
４　　熱源機
７　　熱交換器
１１　温水往き管
１２　温水還り管
１３　第１切換弁
１４　第２切換弁
【図１】
2004085140.tif 000003
【図２】
2004085140.tif 000004
【図３】
2004085140.tif 000005
【図４】
2004085140.tif 000006
【図５】
2004085140.tif 000007
【図６】
2004085140.tif 000008